【手続補正書】
【提出日】平成23年7月13日(2011.7.13)
【手続補正１】
【補正対象書類名】特許請求の範囲
【補正対象項目名】全文
【補正方法】変更
【補正の内容】
【特許請求の範囲】
【請求項１】
電気ソースを負荷に選択的に接続するために固有識別を有するスイッチング機構と、
前記スイッチング機構に接続されるとともに、ウェブサーバーに対するクェリーを生成する制御モジュールであって、クェリーは、スイッチング機構の固有識別と制御データとを含み、制御モジュールは、ローカル転送リンク−インターネットプロトコル（ＩＰ）ゲートウェイへの接続を含む、制御モジュールとを具備し、
制御モジュールは、
クェリーをローカル転送リンク−ＩＰゲートウェイに送信し、
ローカル転送リンク−ＩＰゲートウェイからの応答を受信し、応答は、スイッチング機構に対する制御情報を含み、
受信した制御情報に基づいて電気ソースに電気インターフェースを選択的に接続するように構成されることを特徴とする電気インターフェース。
【請求項２】
前記制御モジュールは、電気インターフェースに格納されたスケジューリング情報によってクェリーを生成することを特徴とする請求項１に記載の電気インターフェース。
【請求項３】
前記クェリーに含まれる制御データは、サーモスタット設定、価格閾値、及び電力モードのうち少なくとも１つを有するデータと、該データが変化したか否かの表示とをさらに具備することを特徴とする請求項１に記載の電気インターフェース。
【請求項４】
前記クェリーは、負荷形式識別子をさらに具備することを特徴とする請求項１に記載の電気インターフェース。
【請求項５】
ウェブサーバーからの前記応答における制御情報は、サーモスタット設定、電気の時価、価格閾値、電力モード、スケジューリング情報のうち少なくとも１つを有するデータを具備し、インターフェースはデータを格納するためのメモリをさらに具備することを特徴とする請求項１に記載の電気インターフェース。
【請求項６】
前記スイッチング機構は、継電器、ブレーカー、及びサーモスタットのうち少なくとも１つを具備することを特徴とする請求項１に記載の電気インターフェース。
【請求項７】
前記スイッチング機構のユーザー制御を可能にするユーザーインターフェースをさらに具備するとともに、前記ユーザーインターフェースは、ディスプレイ及び入力デバイスの少なくとも１つを有することを特徴とする請求項１に記載の電気インターフェース。
【請求項８】
前記電気インターフェースは、スイッチング機構に接続したソケットをさらに具備するとともに、前記ソケットは、負荷を伴う電力プラグと対になることを特徴とする請求項１に記載の電気インターフェース。
【請求項９】
電気インターフェースから情報に対するクェリーを受信および回送する第１インターフェースであって、前記クェリーは、負荷に対する電気インターフェースにおけるスイッチング機構の固有識別子と、サーモスタット設定、電力モード、及び価格閾値のうち少なくとも１つを有する第１データを具備し、第１インターフェースは、負荷に対する電気ソースを提供するスイッチング機構に接続される、第１インターフェースと、
前記クェリーをウェブリクエストに変換する処理モジュールであって、ウェブリクエストは、クェリーの第１データに基づいて制御および／またはスケジューリング情報を含む、処理モジュールと、
ウェブリクエストをインターネットプロトコル上でウェブサーバーに送信し、ウェブサーバーから更新された制御および／またはスケジューリング情報を含むウェブリクエストに対する応答を受信する第２インターフェースとを具備してなり、
ウェブサーバーからの応答は、クェリーを開始した電気インターフェースに提供されることを特徴とするローカル転送リンク−インターネットプロトコルゲートウェイ。
【請求項１０】
前記クェリーは、第１データが変化したか否かの表示をさらに具備することを特徴とする請求項９に記載のローカル転送リンク−インターネットプロトコルゲートウェイ。
【請求項１１】
前記クェリーは、負荷形式識別子をさらに具備するとともに、前記処理モジュールは、負荷形式識別子に基づいて、クェリーをウェブリクエストに変換することを特徴とする請求項９に記載のローカル転送リンク−インターネットプロトコルゲートウェイ。
【請求項１２】
前記第２インターフェースは、第１フォーマットでウェブリクエストに対するウェブサーバーからの応答を受信するとともに、前記処理モジュールは、応答を第２フォーマットに変換し、かつ、前記第１インターフェースは、第２フォーマットで応答を電気インターフェースに送信することを特徴とする請求項９に記載のローカル転送リンク−インターネットプロトコルゲートウェイ。
【請求項１３】
前記応答は、サーモスタット設定、電力モード、電気の時価、価格閾値、及びスケジューリング情報のうち少なくとも１つ有する第２データを具備することを特徴とする請求項１２に記載のローカル転送リンク−インターネットプロトコルゲートウェイ。
【請求項１４】
前記第１インターフェースは、無線、電力線通信、及びイーサネット（登録商標）部品のうち少なくとも１つを有するローカル転送リンクを具備するとともに、前記第２インターフェースはイーサネット（登録商標）ポートを具備することを特徴とする請求項９に記載のローカル転送リンク−インターネットプロトコルゲートウェイ。
【請求項１５】
プロセッサによって実行されると、ウェブサーバーに、
情報に対するウェブリクエストを受信させ、ウェブリクエストは、負荷に対する電気インターフェースにおけるスイッチング機構の固有識別子と、サーモスタット設定、価格閾値および電力モードの少なくとも１つを有する制御データとを含み、電気インターフェースは、最初のウェブリクエストが生成されたクェリーを開始し、電気インターフェースは、負荷に電気ソースを提供するスイッチング機構に接続され、
スイッチング機構の固有識別子を伴うレコードを取り出させ、かつ、
前記レコードに基づいてウェブリクエストに対する応答を生成させ、生成された応答は、識別されたスイッチング機構の更新された制御データを含む、命令セットを具備してなることを特徴とする非一時的コンピューター可読媒体。
【請求項１６】
前記応答は、サーモスタット設定、電気の時価、価格閾値、及びスケジューリング情報のうち少なくとも１つを有する更新された制御データを具備することを特徴とする請求項１５に記載の非一時的コンピューター可読媒体。
【請求項１７】
前記命令がプロセッサによって実行される時、ウェブサーバーはさらに、更新された制御データに含まれるべき電気の時価に対して価格設定するソースを問い合わせることを特徴とする請求項１６に記載の非一時的コンピューター可読媒体。
【請求項１８】
前記命令がプロセッサによって実行される時、ウェブサーバーはさらに、サーモスタット設定、価格閾値、及びスケジューリング情報に基づく応答の電力モードのうち少なくとも１つを確定することを特徴とする請求項１６に記載の非一時的コンピューター可読媒体。
【請求項１９】
前記応答は、再起動命令を具備することを特徴とする請求項１５に記載の非一時的コンピューター可読媒体。
【請求項２０】
前記ウェブリクエストは、第１データが変化したか否かの表示を具備するとともに、もし第１データが変化したならば、前記ウェブサーバーは、第１データに基づいてレコードを更新することを特徴とする請求項１５に記載の非一時的コンピューター可読媒体。
【請求項２１】
前記命令がプロセッサによって実行される時、ウェブサーバーはさらに、
ウェブ対応デバイスからログイン要求を受信し、
ログイン要求に基づいてウェブ対応デバイスのユーザーを認証し、
ユーザー識別子を伴う負荷に対する電気インターフェースの固有識別子セットを取り出し、
固有識別子セットに基づくログイン要求に対するウェブリクエストを生成し、かつ、前記ログイン要求は、ユーザー識別子及びパスワードを具備することを特徴とする請求項１５に記載の非一時的コンピューター可読媒体。
【請求項２２】
前記命令がプロセッサによって実行される時、ウェブサーバーはさらに、
１又は２以上の固有識別子セットを伴う、サーモスタット設定、価格閾値、電力モード、及びスケジュールの少なくとも１つを修正するもう１つのウェブリクエストを受信し、かつ、
もう１つのウェブリクエストに対する応答において、１又は２以上の固有識別子セットを伴うレコードを更新することを特徴とする請求項２１に記載の非一時的コンピューター可読媒体。
【請求項２３】
電気ソースを電気デバイスに選択的に接続するスイッチング機構と、
スイッチング機構に接続されるとともに、ウェブサーバーからの情報に対するクェリーを生成し、かつ、クェリーをローカル転送リンク−インターネットプロトコルゲートウェイに送信するとともに、クェリーに対する応答に基づいてスイッチング機構を制御する制御モジュールであって、クェリーは、電気インターフェースの固有識別子と、サーモスタット設定、価格閾値および電力モードの少なくとも１つを有する第１データと、第１データが変化したか否かの表示とを含み、応答は、サーモスタット設定、電気の時価、価格閾値、電力モードおよびスケジューリング情報の少なくとも１つを有する第２データを含む制御データパケットを含む、制御モジュールと、
第１データ及び第２データを格納するメモリと、
スイッチング機構のユーザー制御を可能にするユーザーインターフェースとを具備することを特徴とする電気インターフェース。
【請求項２４】
前記制御モジュールは、メモリに格納されたスケジューリング情報によってクェリーを生成することを特徴とする請求項２３に記載の電気インターフェース。
【請求項２５】
前記サーモスタットに接続したソケットを具備するとともに、前記ソケットは、エアコンに伴う電力プラグと対になることを特徴とする請求項２３に記載の電気インターフェース。
【請求項２６】
前記クェリーは、負荷形式識別子をさらに具備することを特徴とする請求項２３に記載の電気インターフェース。
【請求項２７】
ウェブサーバーに対するクェリーは、ウェブページに対するリクエストであり、リクエストは、スイッチング機構の状態情報を含み、制御モジュールは、スイッチング機構を制御するのに用いるリクエストされたウェブページに含まれた制御パケットを受信するように構成されることを特徴とする請求項１に記載の電気インターフェース。
【請求項２８】
制御モジュールは、設定の任意変更がサーバーベースの手数料を示すか否かの表示を含む制御パケットに含まれたデータに基づいて、スイッチング機構の設定を修正するように構成されることを特徴とする請求項２７に記載の電気インターフェース。
【請求項２９】
ローカル転送リンク−インターネットプロトコルゲートウェイは、所定のＩＰアドレスを要求しないことを特徴とする請求項９に記載のローカル転送リンク−インターネットプロトコルゲートウェイ。
【請求項３０】
ウェブサーバーを用いる全通信は、電気インターフェースからクェリーとして開始し、ウェブサーバーに送信されるべき標準ウェブリクエストに再フォーマットされることを特徴とする請求項９に記載のローカル転送リンク−インターネットプロトコルゲートウェイ。
【請求項３１】
第２インターフェースは、ウェブサーバーにウェブリクエストを送信するためのインターネットプロトコルネットワークへの接続を含むことを特徴とする請求項９に記載のローカル転送リンク−インターネットプロトコルゲートウェイ。
【請求項３２】
生成された応答は、クェリーで定式化されたウェブリクエストで参照された電気インターフェースに関する制御更新を含むことを特徴とする請求項１５に記載の非一時的コンピューター可読媒体。
【請求項３３】
スイッチング機構は、負荷に電気を直接的に接続することを特徴とする請求項１に記載の電気インターフェース。
【請求項３４】
制御モジュールは、更新された制御および／またはスケジューリング情報に対するクェリーを周期的に生成し、クェリーは、制御モジュールの現在の状態情報を含むことを特徴とする請求項１に記載の電気インターフェース。
【請求項３５】
第２インターフェースは、ローカルルータまたはＤＨＣＰサーバから一時的ＩＰアドレスを割り当てられ、一時的ＩＰアドレスにより、ウェブリクエストに対する応答は、第２インターフェースへ送り戻されることができることを特徴とする請求項９に記載のローカル転送リンク−インターネットプロトコルゲートウェイ。
【請求項３６】
第２インターフェースは、ウェブリクエストを作成してウェブリクエストに対する応答を受信する許可を有するＩＰアドレスを使用することを特徴とする請求項９に記載のローカル転送リンク−インターネットプロトコルゲートウェイ。
【請求項３７】
プロセッサによって実行される命令により、ウェブサーバーはさらに、
固有識別子のセットのうち１つまたは複数を伴うサーモスタット設定、価格閾値、電力モードおよびスケジュールの少なくとも１つを修正するのに使用される認証されたデータを受信し、
第２ウェブリクエストに応じて固有識別子のセットのうち１つまたは複数を伴うレコードを更新する、
ことを特徴とする請求項１５に記載の非一時的コンピューター可読媒体。
【請求項３８】
制御モジュールは、さらに現在の制御およびスケジューリング情報に対するクェリーを生成するためにスケジュール情報に基づいて決定を行い、クェリーは、制御モジュールの現在の状態情報を含むことを特徴とする請求項２３に記載の電気インターフェース。
【請求項３９】
制御モジュールは、さらに現在の制御および／またはスケジューリング情報に対するクェリーを周期的に生成し、クェリーは、制御モジュールの現在の状態情報を含むことを特徴とする請求項２３に記載の電気インターフェース。
【請求項４０】
制御データを用いて負荷への電気の供給を制御し、
更新された制御データに対するクェリーを生成し、
生成されたクェリーに応じて、更新された制御データが提供されるのを待機し、
負荷への電気の供給を制御するために、更新された制御データに反応する、
ように構成された固有識別を有する電気インターフェースと、
インターネットプロトコル通信リンク上にウェブリクエストとして転送するために電気インターフェースからのクェリーを変更し、
電気インターフェースへの通信に対するウェブリクエストに、受信された応答を変換し、受信された応答は、更新された制御データを含み、
変換された応答を電気インターフェースに送信する、
ように構成された電気インターフェースに接続されるローカル転送リンク−インターネットプロトコルゲートウェイと
を具備することを特徴とするシステム。